【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
制御情報内で、ディスク直径を表すディスクサイズ情報とディスクバージョンを表すディスクバージョン情報とを割り当てるステップと、
前記割り当てられた情報バイトを光ディスクの特定領域に記録するステップと、
から構成され、上記ディスクバージョン情報は第１のバージョン情報と第２のバージョン情報とに分離していることを特徴とする光ディスクへの制御情報の記録方法。
【請求項２】
前記ディスクサイズ情報とディスクバージョン情報が、制御情報内の１つの情報バイト内に一緒に記録されることを特徴とする請求項１に記載の光ディスクへの制御情報の記録方法。
【請求項３】
前記ディスクサイズ情報として２ビットを割り当て、第１のバージョン情報として２ビットを割り当て、第２のバージョン情報として４ビットを割り当てることを特徴とする請求項２に記載の光ディスクへの制御情報の記録方法。
【請求項４】
バージョン情報を表すデータ構造において、
前記バージョン情報が第１のバージョン情報と第２のバージョン情報からなり、前記第２のバージョン情報が第１のバージョン情報により指示されない上位バージョンを表し、前記第２のバージョン情報が第１のディジットと第２のディジットからなり、前記第１のディジットを“Ｘ”とし、第２のディジットを“Ｙ”とするとき、２進数的表現にてバージョン“Ｘ.Ｙ”で表されることを特徴とするデータ構造。
【請求項５】
第１のバージョン情報が、第２のバージョン情報より低いバージョンを指示することを特徴とする請求項４に記載のバージョン情報を表すデータ構造。
【請求項６】
第１のバージョン情報が互換性バージョンを指示することを特徴とする請求項４に記載のバージョン情報を表すデータ構造。
【請求項７】
第２のバージョン情報が実際の実際バージョンを指示することを特徴とする請求項４に記載のバージョン情報を表すデータ構造。
【請求項８】
光記録媒体にバージョン情報を記録する方法において、
光記録媒体の特定領域にバージョン情報を記録し、前記バージョン情報が第１のバージョン情報と第２のバージョン情報からなり、前記第２のバージョン情報が第１のバージョン情報により指示されない上位バージョンを表し、前記第２のバージョン情報が第１のディジットと第２のディジットからなり、前記第１のディジットを“Ｘ”とし、第２のディジットを“Ｙ”とするとき、２進数的表現にてバージョン“Ｘ.Ｙ”で表されることを特徴とする光記録媒体へのデータの記録方法。
【請求項９】
バージョン情報を有する記録媒体において、
前記バージョン情報が第１のバージョン情報と第２のバージョン情報からなり、前記第２のバージョン情報が第１のバージョン情報により指示されない上位バージョンを表し、前記第２のバージョン情報が第１のディジットと第２のディジットからなり、前記第１のディジットを“Ｘ”とし、第２のディジットを“Ｙ”とするとき、２進数的表現にてバージョン“Ｘ.Ｙ”で表されることを特徴とする光記録媒体。
【請求項１０】
前記第１のバージョン情報が前記光ディスクの互換性バージョンを示すことを特徴とする請求項１に記載の方法。
【請求項１１】
前記第２のバージョン情報が前記光ディスクの実際のバージョン情報を示すことを特徴とする請求項１に記載の方法。
【請求項１２】
前記第１及び第２のディジットを１情報バイトにて併せ表すことを特徴とする請求項５９に記載のデータ構造。
【請求項１３】
前記第１及び第２のバージョン情報をそれぞれ１情報バイトにより表すことを特徴とする請求項４に記載のデータ構造。
【請求項１４】
前記第１のバージョン情報は記録媒体とドライブとの間の互換性判定につき前記第２のバージョン情報を上回る優先順位を有することを特徴とする請求項４に記載のデータ構造。
【請求項１５】
前記第１のバージョン情報は前記光記録媒体の互換性バージョンを示すことを特徴とする請求項８に記載の方法。
【請求項１６】
前記第２のバージョン情報は前記光記録媒体の実際のバージョンを示すことを特徴とする請求項８に記載の方法。
【請求項１７】
前記光記録媒体の特定領域への前記バージョン情報の記録は前記第１及び第２のバージョン情報を一つの情報バイト内に併せ記録することを含むことを特徴とする請求項８に記載の方法。
【請求項１８】
前記光記録媒体の前記特定領域への前記バージョン情報の記録は前記第１及び第２のバージョン情報をそれぞれ一つの情報バイト内に記録することを含むことを特徴とする請求項８に記載の方法。
【請求項１９】
前記第１のバージョン情報が前記光記録媒体の互換性判定につき前記第２のバージョン情報を上回る優先順位を有することを特徴とする請求項８に記載の方法。
【請求項２０】
前記第１のバージョン情報が前記記録媒体の互換性バージョンを示す請求項９に記載の記録媒体。
【請求項２１】
前記第２のバージョン情報が前記記録媒体の実際のバージョンを示すことを特徴とする請求項９に記載の記録媒体。
【請求項２２】
前記第１及び第２のバージョン情報を一つの情報バイトにて併せ表すことを特徴とする請求項９に記載の記録媒体。
【請求項２３】
前記第１及び第２のバージョン情報をそれぞれ一つの情報バイトにて表すことを特徴とする請求項９に記載の記録媒体。
【請求項２４】
前記第１のバージョン情報が前記記録媒体の互換性判定につき前記第２のバージョン情報を上回る優先順位を有することを特徴とする請求項９に記載の記録媒体。
【請求項２５】
記録媒体に対しデータを記録／再生する装置であって、
第１のバージョン情報と第２のバージョン情報とを含むバージョン情報を生成するコントローラで、前記第２のバージョン情報が前記第１のバージョン情報にて示されない上位バージョンを表し、該第２のバージョン情報が第１のディジットと第２のディジットとを含み、「Ｘ」，「Ｙ」をそれぞれ第１のディジットを示す「Ｘ」と第２のディジットを示す「Ｙ」とし、２進数的表現にてバージョン「Ｘ．Ｙ」を表す前記コントローラと、
前記記録媒体上に前記バージョン情報を記録する記録部と、
を備えることを特徴とする装置。
【請求項２６】
前記第１のバージョン情報が前記記録媒体の互換性バージョンを示すことを特徴とする請求項２５に記載の装置。
【請求項２７】
前記第２のバージョン情報が前記記録媒体の実際のバージョンを示すことを特徴とする請求項２５に記載の装置。
【請求項２８】
前記記録部が前記第１及び第２のバージョン情報を一つの情報バイト内に併せ記録することを特徴とする請求項２５に記載の装置。
【請求項２９】
前記記録部が前記第１及び第２のバージョン情報をそれぞれ一つの情報バイト内に記録することを特徴とする請求項２５に記載の装置。
【請求項３０】
前記第１のバージョン情報が前記記録媒体の互換性判定につき前記第２のバージョン情報を上回る優先順位を有することを特徴とする請求項２５に記載の装置。
【請求項３１】
記録媒体上に主データを記録／再生する方法であって、
前記記録媒体の制御情報を読み取るステップで、該制御情報が前記記録媒体の直径を表すサイズ情報と前記記録媒体のバージョンを示すバージョン情報とを含み、前記バージョン情報を第１のバージョン情報と第２のバージョン情報に区画した前記ステップと、
前記読み取り制御情報を利用して前記記録媒体に対し前記主データを記録／再生するステップと、
を含むことを特徴とする方法。